(57)【要約】【課題】直達光を減らしつつ、採り込んだ光の照明効果を向上できる二重窓およびその組立キット、製造方法ならびに設置方法を提供する。【解決手段】二重窓１は、第１空間２と第２空間３との間において第１空間２及び第２空間３に向けて開口した開口部４に配置される二重窓１であって、第１窓５と、第１窓５よりも第２空間３側に配置され、第１窓５に対して相対移動可能な第２窓６と、を備え、第１空間２側から入射した光を偏向して第２空間３側に出射する偏向層７４が設けられている。【選択図】図１
2018184831.tif 000002
【特許請求の範囲】
【請求項１】
第１空間と第２空間との間において前記第１空間及び前記第２空間に向けて開口した開口部に配置される二重窓であって、
第１窓と、
前記第１窓よりも前記第２空間側に配置され、前記第１窓に対して相対移動可能な第２窓と、を備え、
前記第１空間側から入射した光を偏向して前記第２空間側に出射する偏向層が設けられている、二重窓。
【発明の詳細な説明】
【技術分野】
【０００１】
本開示は、開口部に配置される二重窓に関する。また、本開示は、二重窓の組立キット、二重窓の製造方法に関する。
【背景技術】
【０００２】
窓のサッシを２組用いて断熱効果を高めた二重窓に関する技術が提案されている。例えば、特許文献１には、外窓と内窓とを備えた二重窓において、外窓に後付可能な内窓が開示されている。
【先行技術文献】
【特許文献】
【０００３】
【特許文献１】特開平５−１２５８６９号公報
【発明の概要】
【発明が解決しようとする課題】
【０００４】
しかしながら、特許文献１においては、屋内への直達光を減らしながら、屋外から採り込んだ光を屋内照明として利用することに関して、何ら有効な提案がなされていない。
【０００５】
本発明が解決しようとする課題は、直達光を回避しつつ、採り込んだ光の照明効果を向上できる二重窓およびその組立キット、製造方法ならびに設置方法を提供することである。
【課題を解決するための手段】
【０００６】
上記の課題を解決するために、本発明の一態様では、
第１空間と第２空間との間において前記第１空間及び前記第２空間に向けて開口した開口部に配置される二重窓であって、
第１窓と、
前記第１窓よりも前記第２空間側に配置され、前記第１窓に対して相対移動可能な第２窓と、を備え、
前記第１空間側から入射した光を偏向して前記第２空間側に出射する偏向層が設けられている、二重窓が提供される。
【０００７】
前記偏向層は、前記第２窓よりも第２空間側に配置されてもよい。
【０００８】
前記偏向層は、前記第２窓とともに前記第１窓に対して相対移動可能に前記第２窓に積層されていてもよい。
【０００９】
前記偏向層は、前記第２窓に空隙を介して配置されてもよい。
【００１０】
前記偏向層は、前記第１窓と前記第２窓との間に配置されてもよい。
【００１１】
前記偏向層は、前記第２窓とともに前記第１窓に対して相対移動可能に前記第２窓に積層されていてもよい。
【００１２】
前記偏向層は、前記第２窓に空隙を介して配置されてもよい。
【００１３】
前記偏向層よりも前記第１空間側または第２空間側に、光拡散機能を有する部分が設けられていてもよい。
【００１４】
前記偏向層よりも前記第１空間側に、紫外線吸収機能を有する部分が設けられていてもよい。
【００１５】
前記光拡散機能を有する部分は、前記第２窓に含まれている又は積層されていてもよい。
【００１６】
前記紫外線吸収機能を有する部分は、前記第１窓に含まれている又は積層されていてもよい。
【００１７】
前記第１窓及び前記第２窓は、前記開口部の開口方向に非平行に移動可能であってもよい。
【００１８】
前記二重窓は、前記開口部に前記第１窓及び前記第２窓を保持可能な保持具を備え、
前記保持具は、前記第１窓に対して相対移動可能に前記第２窓を保持してもよい。
【００１９】
前記二重窓は、
前記第１窓の外周縁を保持する第１枠と、
前記第２窓の外周縁を保持する第２枠と、を備え、
前記第２枠は、前記第１枠よりも内周が小さくてもよい。
【００２０】
前記第２枠の下部上端は、前記第１枠の下部上端よりも上方に位置してもよい。
【００２１】
前記第２枠の上部下端は、前記第１枠の上部下端よりも下方に位置してもよい。
【００２２】
本発明の他の一態様では、
第１空間と第２空間との間において前記第１空間および前記第２空間に向けて開口した開口部に配置された第１窓との組み合わせで二重窓を組み立てるための二重窓の組立キットであって、
前記第１窓よりも前記第２空間側に配置される第２窓と、
前記第１窓に対して相対移動可能に前記開口部に前記第２窓を保持する保持具と、を備え、
前記第２窓は、前記第１空間側から入射した光を偏向して前記第２空間側に出射する偏向層を含む、組立キットが提供される。
【００２３】
本発明の他の一態様では、
前記二重窓を製造する二重窓の製造方法であって、
前記第１窓及び前記第２窓を支持する保持具を前記開口部に設置する工程と、
前記第１窓及び前記第２窓を前記保持具に取り付ける工程と、を備える、二重窓の製造方法が提供される。
【００２４】
本発明の他の一態様では、
前記二重窓を開口部に設置する工程を備える、二重窓の設置方法が提供される。
【発明の効果】
【００２５】
本発明によれば、直達光を減らしつつ、採り込んだ光の照明効果を向上できる。
【図面の簡単な説明】
【００２６】
【図１】本実施形態による二重窓を示す横断面図。
【図２】図１の二重窓の縦断面図。
【図３】図３Ａは、図２の二重窓における偏向層の拡大図であり、図３Ｂは、図３Ａの偏向層の変形例を示す拡大図である。
【図４】第１の変形例による二重窓を示す縦断面図。
【図５】第２の変形例による二重窓を示す縦断面図。
【図６】第３の変形例による二重窓を示す縦断面図。
【図７】第４の変形例による二重窓を示す縦断面図。
【図８】第５の変形例による二重窓を示す縦断面図。
【図９】第６の変形例による二重窓を示す縦断面図。
【図１０】第７の変形例による二重窓を示す縦断面図。
【図１１】第８の変形例による二重窓を示す縦断面図。
【図１２】第９の変形例による二重窓を示す斜視図。
【図１３】第１０の変形例による二重窓を示す縦断面図。
【図１４】第１０の変形例による二重窓を示す斜視図。
【図１５】第１０の変形例の二重窓における偏向層の拡大斜視図。
【図１６】第１０の変形例において、図１３と異なる向きの偏向層を示す縦断面図。
【図１７】第１１の変形例による二重窓を示す縦断面図。
【図１８】第１２の変形例による二重窓を示す縦断面図。
【図１９】第１３の変形例による二重窓を示す縦断面図。
【図２０】第１４の変形例による二重窓を示す縦断面図。
【図２１】第１５の変形例による二重窓を示す縦断面図。
【図２２】第１６の変形例による二重窓を示す縦断面図。
【発明を実施するための形態】
【００２７】
以下、図面を参照して本発明の実施形態について説明する。なお、本明細書に添付する図面においては、図面の理解のしやすさの便宜上、適宜縮尺および縦横の寸法比等を、実物のそれらから変更し誇張している場合がある。
【００２８】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００２９】
また、本明細書における「上下方向」は、鉛直方向に平行な面内において水平方向と非平行な方向であり、必ずしも鉛直方向とは一致しない。「上」とは、上下方向における一方であって、鉛直方向における「上」に近接する側（又は方）のことを指す。「下」とは、上下方向における「上」とは反対の側であって、鉛直方向における「下」に近接する側（又は方）のことを指す。
【００３０】
また、本明細書において、「シート」、「フィルム」、「板」等の用語は、呼称の違いのみに基づいて、それぞれ区別されるものではない。したがって、例えば、「シート」はフィルムや板と呼ばれ得るような部材も含む概念である。
【００３１】
図１〜図３Ａは、本発明による一実施の形態を説明するための図である。このうち図１は、二重窓１を示す横断面図である。図２は、図１の二重窓１の縦断面図すなわち図１のＩＩ−ＩＩ断面図である。図３Ａは、図２の二重窓１における偏向層７４の拡大図である。図１〜図３Ａは、内窓６の屋内３側に全反射ルーバ型の偏向層７４を積層した例を示す。
【００３２】
図１〜図３Ａに示すように、二重窓１は、隣り合う屋外２と屋内３との間において屋外２及び屋内３に向けて開口した開口部４に設置されるものである。屋外２は、第１空間の一例であり、屋内３は、第２空間の一例である。二重窓１は、第１窓の一例である外窓５と、第２窓の一例である内窓６とを備えている。図１および図２の例において、外窓５および内窓６は、２枚ずつ配置されている。
【００３３】
内窓６は、外窓５よりも屋内３側に配置されており、外窓５に対して相対移動可能である。外窓５には、屋外２側から太陽光Ｌが入射し、入射した太陽光Ｌは内窓６を通して屋内３に出射される。屋内３への直達光を減らし、採光された光の照明効果を向上するため、二重窓１には、光制御シート７０が設けられている。なお、本実施形態では第１空間（図示では屋外２）側から第２空間（図示では屋内３）に入射する光を太陽光として取り扱うが、これに限らず、入射光が人工光に由来するものであってもよい。外窓５および内窓６は、例えば、可視光透過性を有したガラスまたは樹脂からなる板状の部材である。外窓５および内窓６の厚みは、同一であってもよいし、互いに異なっていてもよい。例えば、外窓５および内窓６の厚みを異ならせることで、防音性を向上させることができる。
【００３４】
図２および図３Ａに示すように、光制御シート７０は、内窓６の屋内３側の表面６ａに配置されており、全体としてシート状を有している。なお、図１〜図３Ａに示される内窓６は、１枚のガラス窓である。光制御シート７０が屋内３に向けて大きく突出する突出部を有しないシート状であることで、開口部４の美感を損なうことを効果的に回避しながら、種々の開口部４に二重窓１を適用できる。
【００３５】
図１および図２に示すように、外窓５および内窓６は、保持具８０によって開口部４に保持されている。保持具８０は、第１枠の一例である外窓枠８１と、第２枠の一例である内窓枠８２と、外窓ホルダ８３と、内窓ホルダ８４とを備える。外窓ホルダ８３および内窓ホルダ８４は、開口部４の開口方向ｄ１に直交する方向（以下、間口方向と呼ぶ）ｄ２に延びるレール８３１、８４１を有する。外窓５は、その外周縁を外窓枠８１で保持された状態で、レール８３１に沿って移動可能、例えば摺動可能に外窓ホルダ８３に保持されている。内窓６は、その外周縁の一部又は全部を内窓枠８２で保持された状態で、レール８４１に沿って移動可能、例えば、摺動可能、取り外し可能に内窓ホルダ８４に保持されている。内窓６は、外窓５に対して、例えば、回転可能（例えば、内開き、回転開き）、傾斜可能（例えば、内倒し）であってもよい。また、間口方向ｄ２に延びるレール８３１、８４１に沿って摺動可能であることで、内窓６および外窓５は、開口方向ｄ１に非平行に移動できる。なお、内窓６が開口部４に固定され、その一方で外窓５が並進、回転等の動作が可能なように開口部４に取付けられていてもよい。
【００３６】
外窓枠８１および内窓枠８２の内周は、同一であってもよいし、異なっていてもよい。例えば、図１および図２に示すように、内窓枠８２は、外窓枠８１よりも内周が小さくてもよい。これにより、屋内３側から屋外２を見た場合に外窓枠８１が視界に入り難いので、美観を確保できる。また、図２に示すように、内窓枠８２の下部上端８２ａは、外窓枠８１の下部上端８１ａよりも上方（ｄ３１側）に位置する。これにより、外窓ホルダ８３の底面（すなわち、レール８３１）や開口部４の底面で乱反射した反射光Ｌ１が屋内３側に進行しないように、反射光Ｌ１を内窓枠８２で遮断できる。屋内３側に進行しようとする反射光Ｌ１を遮断できる結果、防眩性を向上できる。また、図２に示すように、内窓枠８２の上部下端８２ｂは、外窓枠８１の上部下端８１ｂよりも下方（ｄ３２側）に位置する。これにより、外窓枠８１の上部が庇として機能して内窓６への入射光量を制限したとしても、そもそも内窓枠８２の上部下端８２ｂが低いことで、内窓６が庇の影響を殆ど受けない。例えば、内窓枠８２の下部上端８２ａが外窓枠８１の下部上端８１ａよりも２０ｍｍ以上〜１００ｍｍ以下の範囲で上方に位置するようにしてもよい。例えば、内窓枠８２の上部下端８２ｂが外窓枠８１の上部下端８１ｂよりも２０ｍｍ以上〜１００ｍｍ以下の範囲で下方に位置するようにしてもよい。
【００３７】
外窓５と内窓６との間に形成される空気層の厚みには特に制限はないが、例えば、防音性と断熱性の観点から５０ｍｍ〜１５０ｍｍの範囲内としてもよい。さらに空気層の内部で空気の対流が発生すると断熱性能が低下する虞があるので、対流発生を抑制するために、例えば、５０ｍｍ〜８０ｍｍの範囲内としてもよい。なお、空気層の厚みは、対応する外窓５と内窓６の間の開口方向ｄ１に沿った間隔をさす。
【００３８】
外窓枠８１および内窓枠８２は、例えば、アルミ等の金属や、樹脂、木材などの金属よりも熱伝導性の低い材料で形成してもよい。また、外窓枠８１および内窓枠８２は、金属、樹脂、木材を積層したり、樹脂に木材を混ぜ合わせたりして形成してもよい。一例として、図１および図２においては、外窓枠８１が金属で形成され、内窓枠８２が樹脂で形成されている。外窓枠８１を金属製の窓枠とし、かつ内窓枠８２を樹脂製の窓枠とすることで、コストを抑えつつ、断熱性を向上させることができる。本発明はこのような態様に限定されるものではない。外窓枠８１および内窓枠８２の両方が樹脂で形成されてもよい。また、内窓枠８２の材質を熱伝導性が高い材質とすることで、後述する偏向層７４に生じた潜熱を放出し易くするようにしてもよい。
【００３９】
二重窓１は、偏向層７４よりも屋外２側に紫外線を吸収したり、反射したりする紫外線遮断機能を有する部分を有していてもよい。また、二重窓１は、入射光の屋外２から屋内３への光路中に光拡散機能を有する部分を含んでいてもよく、例えば、偏向層７４よりも屋外２側及び／又は屋内３側に光拡散機能を有する部分を含む。例えば、図３Ａに示すように、光制御シート７０は、内窓６の屋内３側の表面６ａに次の順で積層された、紫外線吸収機能を有する部分の一例である紫外線吸収粘着層７１と、バリア層７２と、第１粘着層７３と、偏向層７４と、第２粘着層７５と、光拡散機能を有する部分の一例である光拡散層７６とを有する。紫外線吸収機能を有する部分の紫外線吸収機能としては、例えば、波長３８０ｎｍ〜２００ｎｍの範囲に含まれる所定の波長における光透過率を５％以下にすることができる。太陽光による家具や商品の日焼けによる退色をより抑制することができるので、その所定の波長は、波長３８０ｎｍ〜３００ｎｍの範囲に含まれることがより好ましい。
【００４０】
外窓５および内窓６の少なくとも一方が光拡散機能を有する場合、光拡散層７６を省略することも可能である。この場合、外窓５および／または内窓６を型板ガラス、すりガラス、フロストガラス等で構成することができる。この場合、外窓５および内窓６は、偏向層７４の屋外２側に設けられた光拡散機能を有する部分の一例である。
【００４１】
外窓５および内窓６の少なくとも一方が紫外線遮断機能を有する場合、紫外線吸収粘着層７１を省略することも可能である。この場合、外窓５および／または内窓６に紫外線反射または紫外線吸収の機能を有するフィルムを貼合したりすることができる。
【００４２】
紫外線吸収粘着層７１は、偏向層７４よりも屋外２側に設けられている。紫外線吸収粘着層７１の粘着力で、光制御シート７０が内窓６に固定されている。紫外線吸収粘着層７１は、例えば、紫外線吸収剤を含有し、かつ、可視光の透過性を有する接着剤である。紫外線吸収粘着層７１は、屋外２側から入射した紫外線Ｌ２を吸収することで、偏向層７４への紫外線Ｌ２の入射を抑制する。これにより、紫外線Ｌ２による偏向層７４の劣化を抑制できる。
【００４３】
バリア層７２は、紫外線吸収粘着層７１の粘着力で内窓６に固定されている。バリア層７２は、例えば、ＰＥＴ（ポリエチレンテレフタレート）などの樹脂からなるフィルムである。バリア層７２は、紫外線吸収粘着層７１に含有される紫外線吸収剤が偏向層７４に侵入することを抑制する。これにより、紫外線吸収剤による偏向層７４の劣化を抑制できる。
【００４４】
第１粘着層７３は、例えば、紫外線吸収剤を含有せず、かつ、可視光の透過性を有する接着剤である。第１粘着層７３の粘着力で、偏向層７４がバリア層７２に固定されている。
【００４５】
偏向層７４は、内窓６よりも屋内３側に配置されている。また、偏向層７４は、内窓６とともに外窓５に対して相対移動可能に内窓６に積層されている。偏向層７４は、屋外２側から入射した可視光Ｌ３を偏向して屋内３側に出射する。すなわち、偏向層７４は、屋外２の光の光路を調整して当該光を屋内３に採り込む採光機能を有する。採光機能のための具体的な構成として、図３Ａの偏向層７４は、偏向層本体７４ａと基材層７４ｂとを有する。基材層７４ｂは、例えば、透明または半透明の樹脂製フィルムである。基材層７４ｂは、後述する製造プロセスにしたがって偏向層７４を製造するために設けられている。基材層７４ｂは省略してもよい。
【００４６】
偏向層本体７４ａは、第１部分７４１と、第２部分７４２と、第３部分７４３とを有する。なお、第３部分７４３は、第１部分７４１と同一の材料によって第１部分７４１と一体的に形成されている。以下、第１部分７４１と第３部分７４３とを総称して一体層７４４とも呼ぶ。
【００４７】
第１部分７４１は、その屋外２側の表面７４１ａにおいて第１粘着層７３に接着されている。第１部分７４１の表面７４１ａには、鉛直方向ｄ３に間隔を空けて略楔状の複数の溝７４１ｂが形成されている。各溝７４１ｂは、間口方向ｄ２（図１参照）の全域にわたって第１部分７４１に形成されている。各溝７４１ｂの鉛直方向ｄ３の幅は、屋内３側すなわち第３部分７４３側に向かうにしたがって狭くなっており、最終的に幅が殆どゼロの状態で閉塞している。第１部分７４１は、透光性材料で形成されている。この透光性材料は、例えば、ＰＥＴやアクリル樹脂などであってもよい。
【００４８】
第２部分７４２は、各溝７４１ｂを埋めるように各溝７４１ｂの内部に設けられている。
第２部分７４２は、溝７４１ｂに倣った形状を有している。具体的には、第２部分７４２は、側面７４２ａと、急斜面７４２ｂと、緩斜面７４２ｃと、底面７４２ｄとを有している。側面７４２ａは、第１部分７４１の表面７４１ａと面一であり、第１粘着層７３に接着されている。急斜面７４２ｂは、側面７４２ａの上端から屋内３側に向かって延び、かつ、屋内３側に向かうにしたがって下方ｄ３２に傾斜している。一方、緩斜面７４２ｃは、急斜面７４２ｂの屋内３側の端部から屋内３側に向かって延び、かつ、屋内３側に向かうにしたがって下方ｄ３２に傾斜している。底面７４２ｄは、側面７４２ａの下端と緩斜面７４２ｃの屋内３側の端部、すなわち下端とを接続している。
【００４９】
第２部分７４２は、第１部分７４１よりも可視光Ｌ３の屈折率が低い。これにより、第２部分７４２は、臨界角より大きい入射角で第１部分７４１側から斜面７４２ｂ、７４２ｃ、すなわち第１部分７４１との界面に入射した可視光Ｌ３１、Ｌ３２を全反射できる。
【００５０】
開口方向ｄ１に対する急斜面７４２ｂの傾斜角θ１は、開口方向ｄ１に対する緩斜面７４２ｃの傾斜角θ２に比べて大きい。なお、傾斜角θ２は、０°以上（θ２≧０）である。傾斜角θ２よりも傾斜角θ１が大きいことで、急斜面７４２ｂは、屋外２の高い位置からの可視光Ｌ３１を臨界角より大きい入射角で入射させ、入射した可視光Ｌ３１を大きく立ち上げずに屋内３の奥側に向けて全反射できる。一方、傾斜角θ２が小さいことで、緩斜面７４２ｃは、屋外２の低い位置からの可視光Ｌ３２を臨界角より大きい入射角で入射させ、入射した可視光Ｌ３２を大きく立ち上げずに屋内３の奥側に向けて全反射できる。屋内３の奥側に可視光Ｌ３１、Ｌ３２を全反射させることで、屋内３を明るく照明できる。すなわち、採り込んだ光の照明効果を向上できる。なお、図３Ａでは、急斜面７４２ｂまたは緩斜面７４２ｃに入射する可視光Ｌ３１、Ｌ３２を直線状に図示しているが、実際は屈折率が異なる界面を通るたびに屈折、すなわち偏向している。
【００５１】
第２部分７４２は、接着剤として機能する主部７４２ｅと、主部７４２ｅ中に分散された任意の機能性含有物７４２ｆとを有している。
【００５２】
主部７４２ｅは、第１部分７４１より低屈折率の材料で形成されている。主部７４２ｅの材料は、樹脂材料、例えば、電離放射線の照射で硬化する電離放射線硬化性樹脂であってもよい。電離放射線硬化性樹脂は、例えば、紫外線硬化性樹脂、電子線硬化性樹脂、可視光線硬化性樹脂または近赤外線硬化性樹脂などであってもよい。なお、主部７４２ｅの線膨張係数は、第１部分７４１の線膨張係数と同一又は近いことが望ましい。主部７４２ｅの線膨張係数を第１部分７４１の線膨張係数に同一又は近くすることで、主部７４２ｅの熱膨張による第１部分７４１からの第２部分７４２の剥離を抑制できる。
【００５３】
機能性含有物７４２ｆは、種々の機能を期待されて主部７４２ｅに分散されている。例えば、偏向層７４に遮熱機能を付与するため、機能性含有物７４２ｆとして熱線吸収材を採用してもよい。この場合、熱線吸収材は、例えば、透明性を有する無機ナノ粒子であってもよい。無機ナノ粒子は、例えば、アンチモン錫酸化物（ＡＴＯ）、インジウム錫酸化物（ＩＴＯ）、六ホウ化ランタン（ＬａＢ６）、アルミニウムドープ酸化亜鉛、インジウムドープ酸化亜鉛、ガリウムドープ酸化亜鉛、酸化タングステン、六ホウ化セリウム、無水アンチモン酸亜鉛および硫化銅またはそれらの混合物のナノ粒子等であってもよい。熱線吸収材を用いることで、太陽の熱線による屋内３の温度上昇を抑えることができるので、冷房機器の使用量を抑制して、省エネルギーおよびＣＯ２の削減が可能となる。
【００５４】
また、偏向層７４に遮光機能や意匠性を付与するため、機能性含有物７４２ｆとして着色材を採用してもよい。この場合、着色材は、顔料、より具体的には、カーボンブラック、黒鉛、窒化チタン等の黒色顔料であってもよい。黒色顔料を用いることで、偏向層７４が可視光Ｌ３の遮光機能を発揮できる。また、紺色、青色、紫色等の青みを帯びた粒子、赤みを帯びた粒子、黄色みを帯びた粒子等を着色材として用いてもよい。偏向層７４の第２部分７４２は、異なる機能を有する２つ以上の層から構成されてもよい。例えば、第２部分７４２の屋外側の層は、遮熱機能を有し、第２部分７４２の屋内側の層は、意匠機能を有していてもよい。異なる機能を有する２つ以上の層によって偏向層７４を構成することで、例えば、低屈折率と遮熱機能とを両立させやすくなる。
【００５５】
偏向層７４は、例えば、次のようにして製造できる。先ず、電離放射線硬化性のエポキシアクリレート等の材料で、第１部分７４１と第３部分７４３との一体層７４４を作製する。具体的には、第１部分７４１の溝７４１ｂの構成（すなわち、配置、形状等）に対応した凸部を有する型ロールを準備する。次いで、該型ロールとニップロールとの間に基材層７４ｂのシートを送り込み、該シートの送り込みに合わせて、硬化性材料を型ロールと基材層７４ｂとの間に供給する。次いで、基材層７４ｂ上に供給された液状の硬化性材料が型ロールの凹部に充填されるように、型ロールおよびニップロールで該硬化性材料を押圧する。このとき、型ロールと基材層７４ｂとが接触しないように基材層７４ｂ上に硬化性材料を供給しておくことで、第３部分７４３を確保しながら、硬化性材料に表面７４１ａおよび溝７４１ｂの形状が転写される。次いで、硬化性樹脂に光を照射して硬化性材料を硬化（固化）させることによって、一体層７４４が得られる。次いで、一体層７４４に、硬化することで主部７４２ｅをなすウレタンアクリレート等の硬化性材料と、機能性含有物７４２ｆとを含んだ液状の組成物を供給する。次いで、ドクターブレードを用いて、第１部分７４１の各溝７４１ｂの内部に、組成物を充填する。このとき、溝７４１ｂ外に溢れ出た余剰の組成物は、ドクターブレードで掻き落とす。次いで、電離放射線を照射して組成物を硬化させることで、第２部分７４２が得られる。このようにして、基材層７４ｂおよび偏向層本体７４ａを有する偏向層７４が製造される。
【００５６】
図３Ｂは、図３Ａの偏向層７４の変形例を示す拡大図である。図３Ｂに示すように、偏向層７４は、底面７４２ｄが屋内３側に向かうにしたがって上方ｄ３１に傾斜していてもよい。また、偏向層７４は、機能性含有物７４２ｆを含まない偏向層本体７４ａより低屈折率の材料で構成してもよい。なお、図３Ｂの偏向層７４において、開口方向ｄ１に対する急斜面７４２ｂの傾斜角θ１は、開口方向ｄ１に対する緩斜面７４２ｃの傾斜角θ２に比べて大きい。なお、傾斜角θ２は、０°以上（θ２≧０）である。また、開口方向ｄ１に対する底面７４２ｄの傾斜角θ３は、θ１より小さい（θ１＞θ３）。
【００５７】
第２粘着層７５は、例えば、紫外線吸収剤を含有せず、かつ、可視光の透過性を有する接着剤である。第２粘着層７５の粘着力で、光拡散層７６が偏向層７４に固定されている。
【００５８】
光拡散層７６は、偏向層７４よりも屋内３側に配置されている。光拡散層７６は、偏向層７４で偏向された可視光Ｌ３を拡散させて屋内３に出射する。光拡散層７６は、例えば、型板ガラス、すりガラスまたはフロストガラス等であってもよい。光拡散層７６によれば、偏向層７４で偏向された可視光Ｌ３を拡散した拡散配光を得ることができるので、屋内３を均一に明るく照明できる。また、光拡散層７６を設置することで、屈折率の異なる第１部分７４１及び第２部分７４２が繰り返し配列されていることに応じたぎらつきが室内側から視認されることを緩和することができる。
【００５９】
以上のように構成された二重窓１は、例えば、以下のように、内窓６、光制御シート７０、内窓枠８２および内窓ホルダ８４を含む二重窓キットを用いて組み立てることができる。なお、以下の例では、外窓５、外窓枠８１および外窓ホルダ８３が開口部４に既設の構成であるものとする。先ず、内窓６に紫外線吸収粘着層７１を介して光制御シート７０を貼り付ける。光制御シート７０の貼り付けは、内窓６の製造段階および二重窓１の組立段階（すなわち、施工段階）のいずれで行ってもよい。内窓６に貼りつける前の光制御シート７０は、紫外線吸収粘着層７１に剥離シートが貼り付けられていてもよい。光制御シート７０の粘着層を内窓６に水を介して貼り付ける場合、内窓６の端部よりも数ｍｍ程度内側に光制御シート７０の端部を位置させるように水貼りすると、内窓６と光制御シート７０との間の水を抜きやすい。次いで、内窓６および光制御シート７０の外周縁に内窓枠８２を取り付ける。内窓枠８２の取り付けは、二重窓１の開口部への組立段階の前、二重窓１の開口部への組立段階中のいずれで行ってもよい。次いで、屋内３側において外窓ホルダ８３に隣り合うように、開口部４に内窓ホルダ８４を設置する。内窓ホルダ８４の設置は、ねじ止め等によって開口部４に内窓ホルダ８４を固定することで行ってもよい。次いで、内窓ホルダ８４に内窓６を嵌め込んで取り付ける。このようにして、既設の外窓５と二重窓キットとの組み合わせで、二重窓１を簡便に組み立てることができる。なお、開口部４に内窓ホルダ８４を設置するための十分なスペースがなかったり、開口部４に段差があったりした場合、開口部４の屋内３側の下端部にふかし枠と呼ばれる補助材を設置してもよい。
【００６０】
図２においては、内窓ホルダ８４が実質的に水平に取付けられている。例えば、内窓６は、水平から３°以内になるように取付けられているとする。しかしながら、内窓ホルダ８４が水平から大きく傾いている場合、内窓６に積層された偏向層７４の反射面が設計上意図しない角度をとる虞がある。このような場合、内窓ホルダ８４の下方に角度調整用アタッチメント（図示せず）を配置することにより、内窓６の角度を調整してもよい。
【００６１】
図３Ａにおいて、偏向層７４の第２部分７４２は縦断面視において非対称な反射面を有する。内窓６が内窓ホルダ８４から取り外し可能に構成した場合、光の入射角度や採光の必要性などを考慮して、上下を反転させて内窓６を内窓ホルダ８４に取り付けることにより非対称な反射面を使い分けてもよい。
【００６２】
以上のように組み立てられた二重窓１には、先ず、外窓５に屋外２からの太陽光Ｌが入射する。外窓５に入射した太陽光Ｌは、外窓５を透過した後に内窓６に入射する。このとき、外窓５を透過した太陽光Ｌの一部は、外窓ホルダ８３または開口部４の底面に入射して乱反射され得る。乱反射された乱反射光Ｌ１は、偏向層７４の斜面７４２ｂ、７４２ｃに適切に入射せず所期の方向に偏向できないため、グレアとなって屋内３で眩しさを感じさせる虞がある。これに対して、本実施形態では、内窓枠８２の下部上端８２ａが高い位置にあるので、乱反射光Ｌ１を遮断できる。これにより、乱反射光Ｌ１に起因するグレアを抑制して、防眩性を向上できる。
【００６３】
次いで、内窓６に入射した太陽光Ｌは、内窓６を透過した直後に紫外線吸収粘着層７１に入射する。紫外線吸収粘着層７１に入射した太陽光Ｌのうち、紫外線Ｌ２は、紫外線吸収粘着層７１で吸収されて殆ど透過しない。紫外線Ｌ２が紫外線吸収粘着層７１を殆ど透過しないことで、紫外線吸収粘着層７１の出射側に位置する偏向層７４への紫外線Ｌ２の入射が抑制される。これにより、紫外線Ｌ２による偏向層７４の劣化を抑制できる。一方、紫外線吸収粘着層７１に入射した太陽光Ｌのうち、可視光Ｌ３は、殆ど吸収されずに紫外線吸収粘着層７１を透過する。
【００６４】
紫外線吸収粘着層７１を透過した可視光Ｌ３は、順にバリア層７２および第１粘着層７３を透過したうえで偏向層７４に入射する。
【００６５】
偏向層７４のうち、第１部分７４１の表面７４１ａに入射した可視光Ｌ３は、第１部分７４１の内部を進行して、第１部分７４１より低屈折率の第２部分７４２との界面７４２ｂ、７４２ｃに入射する。このとき、急斜面７４２ｂは、高い位置からの可視光Ｌ３１に対して平行に近い姿勢（θ１＞θ２）を有しているため、急斜面７４２ｂには、高い位置からの可視光Ｌ３１が臨界角より大きい入射角で入射し易い。これにより、急斜面７４２ｂで高い位置からの可視光Ｌ３１を確実に全反射できる。また、急斜面７４２ｂが下方ｄ３２に傾斜していることで、急斜面７４２ｂによる全反射方向は、水平方向すなわち開口方向ｄ１に近い状態になる。これにより、高い位置からの可視光Ｌ３１の立ち上がりを抑えて、可視光Ｌ３１を屋内３の奥側に向けて全反射できる。一方、緩斜面７４２ｃは、低い位置からの可視光Ｌ３２に対して平行に近い姿勢（θ２≧０）を有しているため、緩斜面７４２ｃには、低い位置からの可視光Ｌ３２が臨界角より大きい入射角で入射し易い。これにより、緩斜面７４２ｃで低い位置からの可視光Ｌ３２を確実に全反射できる。また、緩斜面７４２ｃが下方ｄ３２に傾斜していることで、緩斜面７４２ｃによる全反射方向は、水平方向に近い状態になる。これにより、低い位置からの可視光Ｌ３２の立ち上がりを抑えて、可視光Ｌ３２を屋内３の奥側に向けて全反射できる。
【００６６】
一方、偏向層７４のうち、第２部分７４２の側面７４２ａに入射した可視光Ｌ３は、機能性含有物７４２ｆに入射して機能性含有物７４２ｆの作用を受ける。例えば、機能性含有物７４２ｆが熱線吸収材である場合、可視光Ｌ３の熱を吸収して、屋内３側への熱の伝達を抑制できる。
【００６７】
次いで、偏向層７４から出射された可視光Ｌ３は、第２粘着層７５を透過して光拡散層７６に入射する。光拡散層７６に入射した可視光Ｌ３は、拡散されて屋内３に出射される。
【００６８】
本実施形態によれば、屋外２からの光を偏向層７４で偏向して屋内３に採り込むことで、直達光を回避しつつ、採り込んだ光の照明効果を向上できる。
【００６９】
引違い窓である内窓６を間口方向ｄ２に移動させて開状態とし、片面を開けることで適時クリアな視界を得ることも可能である。
【００７０】
外窓５および内窓６の少なくとも一方が光拡散機能を有する場合、光拡散層７６を省略することも可能である。この場合、外窓５および／または内窓６を型板ガラス、すりガラス、フロストガラス等で構成することができる。
【００７１】
外窓５および内窓６の少なくとも一方が紫外線遮断機能を有する場合、紫外線吸収粘着層７１を省略することも可能である。この場合、外窓５および／または内窓６に紫外線反射または紫外線吸収の機能を有するフィルムを貼合したりすることができる。
【００７２】
本実施形態の二重窓１は、図１〜図３Ａに示した構成に限定されず、以下の各変形例に示すように種々変更できる。なお、以下の説明および以下の説明で用いる図面では、上述した実施の形態と同様に構成され得る部分について、上述の実施の形態における対応する部分に対して用いた符号と同一の符号を用いるとともに、重複する説明を省略する。
【００７３】
（第１の変形例）
図１〜３を参照して説明した一実施の形態において、偏向層７４が内窓６の屋内側に積層される例を示した。しかしながら、第１の変形例として図４に示すように、偏向層７４は、第２窓よりも屋外側に積層されていてもよい。
【００７４】
図４は、第１の変形例による二重窓１として、内窓６の屋外２側に偏向層７４を積層した例を示す縦断面図である。第２の変形例の二重窓１において、光制御シート７０は、内窓６の屋外２側の表面６ｂに次の順で積層された、粘着層２０２、光拡散層７６、粘着層７５、偏向層７４および紫外線吸収機能を有する部分の一例であるハードコート層２０１を有している。
【００７５】
ハードコート層２０１は、紫外線、熱、水、薬品および温度変化等による劣化を起こしにくい耐候性と、透光性と、耐擦傷性とを有する。ハードコート層２０１は、例えば、紫外線吸収剤を添加した電子線硬化性の透明樹脂を偏向層７４上に塗布し、塗布された透明樹脂を電子線照射で硬化することで形成してもよい。
【００７６】
なお、ハードコート層２０１と偏向層７４との間に、図３Ａと同様の紫外線粘着層７１を配置してもよい。なお、外窓５が紫外線遮断機能を有する場合、紫外線吸収粘着層７１を省略することも可能であるし、紫外線粘着層７１と紫外線遮断機能を有する外窓５を併用することも可能である。また、光拡散層７６を設ける代わりに、内窓６自体に光拡散機能を持たせてもよい。内窓６自体に光拡散機能を持たせる場合、内窓６を型板ガラス、すりガラスまたはフロストガラスとしてもよく、あるいは、内窓６に光拡散剤を分散させたり、光拡散機能を有する層を設けたりしてもよい。
【００７７】
第１の変形例においても、既述の実施形態および変形例の二重窓１と同様に、偏向層７４で可視光Ｌ３を偏向して屋内３に採り込むことができるので、直達光を減らしつつ、採り込んだ光の照明効果を向上できる。また、偏向層７４で偏向された可視光Ｌ３を光拡散層７６で拡散することで、屋内３を明るく照明できる。また、ハードコート層２０１で紫外線Ｌ２を吸収することで、紫外線Ｌ２による偏向層７４の劣化を抑制できる。また、ハードコート層２０１で偏向層７４を保護できるので、偏向層７４の耐候性を高めることができる。また、第１の変形例において、偏向層７４が室内側を避けて配置されるため、偏向層７４の表面に汚れが付着する機会が減少する。
【００７８】
（第２の変形例）
図１〜３を参照して説明した一実施の形態において、偏向層７４が内窓６に積層される例を示した。しかしながら、第２の変形例として図５に示すように、偏向層７４は、外窓５に積層されていてもよい。
【００７９】
図５は、第２の変形例による二重窓１として、外窓５の屋内３側に偏向層７４を積層した例を示す縦断面図である。図５は、図３Ａの内窓６を外窓５に置き換えたものに相当する。すなわち、図３Ａに示された光制御シート７０を、内窓６の屋内３側の表面に積層することに代えて、外窓５の屋内３側の表面に積層してもよい。外窓５が紫外線遮断機能を有する場合、紫外線吸収粘着層７１を省略することも可能である。第２の変形例によれば、偏向層７４が屋内３と接し結露が発生しやすい内窓６ではなく、外窓５側に配置される。そのため、結露によって偏向層７４にカビが発生したり、剥がれが生じたりすることを抑制することができる。
【００８０】
第２の変形例においても、既述の実施形態および変形例の二重窓１と同様に、偏向層７４によって直達光を減らしつつ採り込んだ光の照明効果を向上できる。第２の変形例において、偏向層７４が室内側を避けて配置されるため、偏向層７４の表面に汚れが付着する機会が減少する。
【００８１】
（第３の変形例）
図５を参照して説明した第２の変形例において、偏向層７４が内窓６の屋内側に積層される例を示した。しかしながら、第３の変形例として図６に示すように、偏向層７４は、外窓５の屋外側に積層されていてもよい。
【００８２】
図６は、第３の変形例による二重窓１として、外窓５の屋外２側に偏向層７４を積層した例を示す縦断面図である。図６は、第１の変形例（図４）において、内窓６を外窓５に置き換えたものに相当する。すなわち、図４に示された光制御シート７０を、内窓６の屋外２側の表面に粘着層２０２を介して積層することに代えて、外窓５の屋外２側の表面に粘着層２０２を介して積層してもよい。また、図６に示された例において、偏向層７４は、外窓５より屋外２側に配置されるため、屋内３側に配置される場合よりも擦傷や風雨によって劣化し易い。このため、偏向層７４の屋外２側には、紫外線吸収機能だけでなく耐擦傷性や耐水性にも優れたハードコート層２０１が配置されている。ハードコート層２０１を配置することで、擦傷や風雨による偏向層７４の劣化を抑制できる。また、偏向層７４の屋内３側には、既述した実施形態および変形例と同様に、光拡散層７６が配置されている。光拡散層７６は、粘着層を介して偏向層７４に固定されていてもよく、または、偏向層７４にコーティングされていてもよい。第３の変形例によれば、偏向層７４が屋内３と接し結露が発生しやすい内窓６ではなく、外窓５側に配置される。そのため、結露によって偏向層７４にカビが発生したり、剥がれが生じたりすることを抑制することができる。
【００８３】
第３の変形例においても、既述の実施形態および変形例の二重窓１と同様に、偏向層７４によって直達光を回避しつつ採り込んだ光の照明効果を向上できる。
【００８４】
（第４の変形例）
図１〜３を参照して説明した一実施の形態において、偏向層７４が内窓６に積層される例を示した。しかしながら、第４の変形例として図７に示すように、偏向層７４は、内窓６の一部として内窓６の内部に含まれるようにしてもよい。
【００８５】
図７は、第４の変形例による二重窓１として、内窓６の内部に偏向層７４を配置した例を示す縦断面図である。第４の変形例の内窓６は、複層ガラスの態様であり、偏向層７４は、複層ガラスに組み合わされている。具体的には、第４変形例の内窓６は、屋外２側から順に、第１内窓基板６１と、図３Ａに示した構成の光制御シート７０と、中間層６３と、第２内窓基板６２とを有する。図示しないが第１内窓基板６１、第２内窓基板６２の少なくとも一方にＬｏｗ−Ｅ金属膜と呼ばれる遮熱コーティングがなされていてもよい。第１内窓基板６１と第２内窓基板６２とは、両内窓基板６１、６２の周縁部間に配置された枠状のスペーサ３０１で接続されている。スペーサ３０１の外周面には、シール材３０２が設けられている。中間層６３には、空気や、アルゴン等の不活性ガスが封入されていてもよく、または、中間層６３は真空状態であってもよい。
【００８６】
図７に示された例において、偏向層７４を第１内窓基板６１上に積層しているが、第２の変形例（図４参照）の態様の偏向層７４を第２内窓基板６２上に積層してもよい。また、偏向層７４を含む第２窓６は、全体として、いわゆるペアガラスと呼ばれる構成を有し、相対位置を位置決めされ且つ互いとの間に隙間を形成された一対の内窓基板６１，６２を有している。しかしながら、図示された例に限られず、内窓６が、いわゆる合わせガラスと呼ばれる構成を有し、中間層６３を削除してもよい。また、内窓６を構成する基板は３枚以上であってもよい。第１内窓基板６および第２内窓基板６２との間隔は、断熱性を考慮して、例えば、２０ｍｍ以内としてもよい。
【００８７】
第４の変形例においても、既述の実施形態および変形例の二重窓１と同様に、偏向層７４によって直達光を減らしつつ採り込んだ光の照明効果を向上できる。また、複層ガラスを用いることで断熱効果を高めることができるので、空調機器を稼働するエネルギーの消費量を抑えることができる。
【００８８】
なお、偏向層７４又は光制御シート７０が内窓６又は外窓５とは別の構成要素として開示された他の形態において、内窓６及び外窓５の少なくとも一方が、二枚以上の透光性基板を有する構成、ペアガラスや合わせガラスと呼ばれる構成を採用してもよい。
【００８９】
（第５の変形例）
図７を参照して説明した第４の変形例において、偏向層７４が内窓６の一部として内窓６の内部に含まれる例を示した。しかしながら、第５の変形例として図８に示すように、偏向層７４は、外窓５の一部として外窓５の内部に含まれてもよい。
【００９０】
図８は、第５の変形例による二重窓１として、外窓５の内部に偏向層７４を配置した例を示す縦断面図である。第４の変形例では内窓６が複層ガラスの態様であったが、第６の変形例では、外窓５が複層ガラスの態様である。図８は、図７の第１内窓基板６１を第１外窓基板５１に置き換え、図７の第２内窓基板６２を第２外窓基板５２に置き換えたものに相当する。第４の変形例と同様に、中間層６３を削除してもよい。
【００９１】
第５の変形例においても、既述の実施形態および変形例の二重窓１と同様に、偏向層７４によって直達光を回避しつつ採り込んだ光の照明効果を向上できる。また、二重窓１の断熱効果を高めることで、空調機器のエネルギー消費量を削減できる。
【００９２】
（第６の変形例）
上述した一実施の形態および変形例において、偏向層７４が、内窓６又は外窓５に積層される又は内窓６又は外窓５の一部をなす例を示した。しかしながら、第６の変形例として図１０に示すように、偏向層７４は、内窓６及び外窓５から離間して配置されてもよい。例えば、偏向層７４が、内窓６及び外窓５に対して空隙を介して設けられ、内窓６及び外窓５に対して相対移動可能であってもよい。さらに、偏向層７４は、常時外窓５と対向するように構成されていてもよいし、開口部４の内側の上端または下端の収納スペース（図示せず）から引き出されて外窓５と適時対向するように構成されていてもよい。これにより、使用者は視界を自由に選択することができる。
【００９３】
図９は、第６の変形例による二重窓１として、外窓５の屋外２側に空隙を介して偏向層７４を配置した例を示す縦断面図である。第６の変形例の偏向層７４は、ホルダ４０１で開口部４の屋外２側の端部に保持されている。より具体的には、偏向層７４は、間口方向ｄ２に延びるホルダ４０１のレール４０２に沿って間口方向ｄ２に移動可能、例えば摺動可能である。偏向層７４の移動は、外窓５の移動及び内窓６の移動から独立して実施され得る。なお、ホルダ４０１は、外窓ホルダ８３と一体の構成であり、偏向層７４が、外窓ホルダ８３に対して相対移動不可能となっていてもよい。偏向層７４は、外窓５および内窓６と平行であってもよいし、非平行であってもよい。立てば、ホルダ４０１の位置を調整し、偏向層７４を外窓５に対して傾斜させてシェイドのように構成してもよい。
【００９４】
第６の変形例の偏向層７４は、外窓５より屋外２側に配置されるため、屋内３側に配置される場合よりも擦傷や風雨によって劣化し易い。このため、偏向層７４の屋外２側には、紫外線吸収機能だけでなく耐擦傷性や耐水性にも優れたハードコート層２０１が配置されている。ハードコート層２０１を配置することで、擦傷や風雨による偏向層７４の劣化を抑制できる。また、偏向層７４の屋内３側には、既述した実施形態および変形例と同様に、光拡散層７６が配置されている。光拡散層７６は、粘着層を介して偏向層７４に固定されていてもよく、または、偏向層７４にコーティングされていてもよい。
【００９５】
第６の変形例においても、既述の実施形態および変形例の二重窓１と同様に、偏向層７４によって直達光を回避しつつ採り込んだ光の照明効果を向上できる。また、外窓５の屋外２側に偏向層７４を配置することで、高い入射角度の光を低い入射角度の方向に偏向し、窓面での反射損失を最小限にすることができるので、より多くの光量の太陽光Ｌを偏向層７４で採り込むことができる。
【００９６】
（第７の変形例）
図９を参照して説明した第６の変形例において、偏向層７４が、外窓５よりも屋外側となる位置に、内窓６及び外窓５に対して空隙を介して設けられている例を示した。しかしながら、第７の変形例として図１０に示すように、偏向層７４が、外窓５と内窓６との間となる位置に、内窓６及び外窓５に対して空隙を介して設けられていてもよい。さらに、偏向層７４は、常時外窓５および内窓６と対向するように構成されていてもよいし、開口部４の内側の上端または下端の収納スペース（図示せず）から引き出されて外窓５および内窓６と適時対向するように構成されていてもよい。これにより、使用者は視界を自由に選択することができる。
【００９７】
図１０は、第７の変形例による二重窓１として、外窓５の屋内３側に空隙を介して偏向層７４を配置した例を示す縦断面図である。また、第７の変形例による二重窓１において、偏向層７４は、内窓６の屋外２側に、内窓６からも空隙を介して配置されている。第７の変形例の偏向層７４は、ホルダ８０１で開口部４における外窓５と内窓６との間に保持されている。より具体的には、偏向層７４は、間口方向ｄ２に延びるホルダ８０１のレール８０２に沿って間口方向ｄ２に移動可能、たとえは摺動可能である。なお、図１０の偏向層７４は、１枚サッシであるが、２枚サッシにしてもよい。第７の変形例の二重窓１では、第６の変形例（図９）と同様に、偏向層７４の屋外２側に、紫外線吸収剤を含有するハードコート層２０１が配置されている。また、偏向層７４の屋内３側には、光拡散層７６が配置されている。偏向層７４の移動は、外窓５の移動及び内窓６の移動から独立して実施され得る。なお、ホルダ８０１は、内窓ホルダ８４と一体の構成であり、偏向層７４が、外窓ホルダ８３に対して相対移動不可能となっていてもよい。
【００９８】
第７の変形例においても、既述の実施形態および変形例の二重窓１と同様に、偏向層７４によって直達光を回避しつつ採り込んだ光の照明効果を向上できる。
【００９９】
（第８の変形例）
図９及び図１０を参照して説明した第６及び第７の変形例において、偏向層７４が、外窓５よりも屋外側となる位置または外窓５及び内窓６の間となる位置に、内窓６及び外窓５に対して空隙を介して設けられている例を示した。しかしながら、第８の変形例として図１１に示すように、偏向層７４が、内窓６よりも屋内側となる位置に、内窓６及び外窓５に対して空隙を介して設けられていてもよい。さらに、偏向層７４は、常時内窓６と対向するように構成されていてもよいし、開口部４の内側の上端または下端の収納スペース（図示せず）から引き出されて内窓６と適時対向するように構成されていてもよい。これにより、使用者は視界を自由に選択することができる。
【０１００】
図１１は、第８の変形例による二重窓１として、内窓６の屋内３側に空隙を介して偏向層７４を配置した例を示す縦断面図である。第８の変形例の偏向層７４は、ホルダ８０１で開口部４における内窓６よりも屋内側に保持されている。より具体的には、偏向層７４は、間口方向ｄ２に延びるホルダ８０１のレール８０２に沿って間口方向ｄ２に移動可能、たとえは摺動可能である。なお、図１１の偏向層７４は、１枚サッシであるが、２枚サッシにしてもよい。第８変形例の二重窓１では、第６の変形例（図９）及び第７の変形例（図１０）と同様に、偏向層７４の屋外２側に、紫外線吸収剤を含有するハードコート層２０１が配置されている。また、偏向層７４の屋内３側には、光拡散層７６が配置されている。偏向層７４の移動は、外窓５の移動及び内窓６の移動から独立して実施され得る。なお、ホルダ８０１は、内窓ホルダ８４と一体の構成であり、偏向層７４が、外窓ホルダ８３に対して相対移動不可能となっていてもよい。
【０１０１】
第８の変形例においても、既述の実施形態および変形例の二重窓１と同様に、偏向層７４によって直達光を回避しつつ採り込んだ光の照明効果を向上できる。
【０１０２】
（第９の変形例）
上述した一実施の形態および変形例において、偏向層７４のシート面への法線方向が一定の方向を向く例について説明した。しかしながら、この例に限られず、偏向層７４のシート面への法線方向が変化可能となるように、偏向層７４が支持されるようにしてもよい。
【０１０３】
図１２は、第９の変形例による二重窓１として、所定の軸線を中心として回転可能に支持された偏向層７４を示す斜視図である。第９の変形例の偏向層７４は、全反射で光を偏向するルーバ型の偏向層（図３Ａ等参照）、鏡面反射で光を偏向するルーバ型の偏向層（図２０参照）、プリズム型の偏向層（図１８参照）およびクレーズ型の偏向層（図１９参照）のいずれであってもよい。
【０１０４】
図１２に示すように、第９の変形例の偏向層７４は、間口方向ｄ２に延びる軸線を中心に回転可能に支持されている。具体的には、第１４の変形例の二重窓１は、偏向層７４に接続された支持軸部材１４２と、支持軸部材１４２を駆動可能な駆動装置１４３とを備える。支持軸部材１４２は、間口方向ｄ２に延びている。
【０１０５】
なお、図１２に示すように、鉛直方向ｄ３に延びる軸線１４４を中心に回転可能に偏向層７４を支持してもよい。
【０１０６】
第９の変形例によれば、偏向層７４を回転させることで、設置位置、時期、時間等に応じて偏向層７４の向きを調整できる。これにより、第１の変形例と同様に、時期や時間に依らず、偏向層７４が太陽光に対して採光機能、遮光機能、遮熱機能等の予定された機能を発揮できる。例えば、図３Ａの偏向層７４の底面７４２ｄ面が上部になるよう偏向層７４の向きを回転調整した場合、急斜面７４２ｂ、緩斜面７４２ｃが上部だった際に全反射していた光が、底面７４２ｄで全反射せず主部７４２ｅおよび機能性含有物７４２ｆで吸収されることで、高い遮熱機能が得られる。
【０１０７】
（第１０の変形例）
図１２を参照して説明した第９の変形例において、偏向層７４の向きが変更可能となるように偏向層７４を支持する例について説明した。ただし、図１２に示された具体的な構成は、偏向層７４の向きを変動可能にする支持方法の一例に過ぎない。図１３〜図１６には、第１０の変形例として、偏向層７４の向きが変更可能となるように当該偏向層７４を支持する構成の他の例が示されている。
【０１０８】
図１３は、第１０の変形例による二重窓１として、内窓６の屋内３側に空隙を介して偏向層７４を配置した例を示す縦断面図である。図１４は、第１０の変形例による二重窓１を示す斜視図である。図１５は、第１０の変形例の二重窓１における偏向層７４の拡大斜視図である。なお、図１５では、第２部分７４２を構成する主部７４２ｅおよび機能性含有物７４２ｆ（図３Ａ参照）の図示を省略している。
【０１０９】
図１４に示すように、第１０の変形例の二重窓１は、鉛直方向ｄ３に配列された複数の短冊状の偏向層７４と、各偏向層７４の向きを変更可能に各偏向層７４を支持する支持部材１０１と、を有している。第１０の変形例において、偏向層７４は、いわゆるブラインドの態様を有している。図１３に示すように、偏向層７４は、屋内３側において内窓６に対面する位置に配置される。第１０の変形例の偏向層７４は、スラットまたは羽根板とも呼ばれ、間口方向ｄ２に細長く延びる薄板状の部材として形成されている。図１５に示すように、第１０の変形例の偏向層７４は、若干湾曲した薄板状に形成されている。
【０１１０】
また、図１４に示すように、第１０の変形例の二重窓１は、取付ボックス１０２と、ラダーコード１０３と、昇降コード１０４と、操作グリップ１０５とを有している。取付ボックス１０２は、偏向層７４を壁に取り付けるための取付具である。ラダーコード１０３は、取付ボックス１０２から垂下し、鉛直方向ｄ３に間隔を空けた状態で各偏向層７４を支持する。昇降コード１０４は、偏向層７４を引き上げ可能である。操作グリップ１０５は、昇降コード１０４、ラダーコード１０３および昇降コード１０４に連結されている。
【０１１１】
ラダーコード１０３は、各偏向層７４が概ね平行となるように、各偏向層７４の向き、すなわち、各偏向層７４のシート面の法線方向を制御する。操作グリップ１０５を介してラダーコード１０３を操作することで、偏向層７４の向きを調節できる。このとき、各偏向層７４は、その長手方向ｄ２と平行な軸線を中心として回動するように、向きを変更する。
【０１１２】
また、操作グリップ１０５を介して昇降コード１０４を操作することで、下方ｄ３２側の偏向層７４から順に鉛直方向ｄ３における間隔を狭めるようにして、各偏向層７４を引き上げることができる。このとき、各偏向層７４の少なくとも一部が取付ボックス１０２内に収容され、かつ、内窓６が屋内３に露出する。同様に、操作グリップ１０５を介して昇降コード１０４を操作することにより、上方に集められた偏向層７４を、内窓６に対面する位置に下げることができる。
【０１１３】
例えば、図１３に示すように、偏向層７４のシート面が概ね鉛直方向ｄ３に延びる場合には、屋外２からの太陽光Ｌに対し、偏向層７４に期待されている種々の機能、例えば、採光機能、遮光機能および遮熱機能等を発揮できる。また、太陽の高度が変化した場合には、ラダーコード１０３を用いてすべての偏向層７４の向きを変化させることにより、高度を変化させた太陽からの太陽光Ｌに対して、偏向層７４が効果的に予定された機能を発揮できる。
【０１１４】
図１６は、第１０の変形例において、図１３と異なる向きの偏向層７４を示す縦断面図である。屋内３に太陽光Ｌをそのまま採り込みたい場合には、図１６に示すように偏向層７４の向きを調節して、隣り合う偏向層７４同士の間を太陽光Ｌが通過するようにしてよい。この方法によれば、太陽光Ｌが光制御シート７０の第１部分７４１を透過する場合と比較して、より高い透過率にて太陽光Ｌを屋内３に採り込むことが可能となる。また、第２部分７４２が可視光遮光性を有する機能性物質７４２ｆ（図３Ａ参照）を含有している場合、図１６に示された状態において、太陽光Ｌを採り込みながら、内窓６の開口方向ｄ１からの覗き込みを防止することも可能となる。
【０１１５】
以上述べたように、第１０の変形例によれば、図１〜図３Ａの構成と同様に、屋外２からの光を偏向層７４で偏向して屋内３に採り込むことで、直達光を回避しつつ、採り込んだ光の照明効果を向上できる。また、設置位置、時期、時間等に応じて偏向層７４の向きを調整することにより、時期や時間に依らず、偏向層７４が太陽光に対して採光機能、遮光機能、遮熱機能等の予定された機能を発揮できる。
【０１１６】
（第１１の変形例）
上述した実施の形態および変形例において図示された偏向層７４は、外窓５および内窓６の全域に対面する大きさを有していた。しかしながら、この例に限られず、偏向層７４は、外窓５に対面する領域の一部分のみに配置されていてもよいし、また、内窓６に対面する領域の一部分のみに配置されていてもよい。
【０１１７】
図１７は、第１１の変形例による二重窓１として、内窓６と外窓５に部分的に偏向層７４を配置した例を示す縦断面図である。図１７に示された例において、偏向層７４は、外窓５の上半部に対面する領域と、内窓６の下半部に対面する領域と、に配置されている。より具体的には、図１７に示された偏向層７４は、外窓５の屋内３側の表面５ａおよび内窓６の屋内３側の表面６ａに部分的に積層されている。なお、図１７の偏向層７４は、外窓５の表面５ａの上半部および内窓６の表面６ａの下半部に積層されているが、このような構成に限定されない。
【０１１８】
例えば、偏向層７４は、外窓５の表面５ａの下半部および内窓６の表面６ａの上半部に積層させてもよい。また、偏向層７４は、外窓５の表面５ａまたは内窓６の表面６ａの鉛直方向ｄ３における中央部に積層させてもよい。偏向層７４を外窓５または内窓６の鉛直方向ｄ３の中央部に配置することで、開口部４の高さや間口方向の奥行にもよるが、人間の視線の高さ下方から偏向された光が人の目に直達することを抑制することができたり、開口部４により庇となり有効活用されにくい領域への偏向層７４の配置を省いたりすることができる。また、偏向層７４は、外窓５の屋外２側の表面５ｂおよび内窓６の屋外２の表面６ｂに部分的に積層させてもよい。また、偏向層７４は、鉛直方向ｄ３の範囲だけでなく、間口方向ｄ２の範囲においても、外窓５の表面５ａ、５ｂおよび内窓６の表面６ａ、６ｂに対して部分的であってもよい。あるいは、開口方向ｄ１において内窓６および外窓５に部分的に投影される大きさの偏向層７４を、外窓５の屋外２側、外窓５と内窓６との間、または、内窓６の屋内３側に空隙を介して配置してもよい。また、第４の変形例および第５の変形例に示した複層ガラスの態様で、偏向層７４を内窓基板６１、６２上または外窓基板５１、５２上に部分的に積層してもよい。
【０１１９】
第１１の変形例においても、既述の実施形態および変形例の二重窓１と同様に、偏向層７４によって直達光を回避しつつ採り込んだ光の照明効果を向上できる。また、外窓５および内窓６の一部に偏向層７４が配置されていない透明の領域を確保することで、屋内３からの屋外２の眺望を確保することも可能である。
【０１２０】
（第１２の変形例）
上述した一実施の形態および変形例において、第１空間から入射する光の進行方向を偏向して第２空間に誘導する偏向層７４の具体的な構成を説明した。しかしながら、上述した偏向層７４の構成は一例に過ぎず、種々の構成を採用することができる。
【０１２１】
図１８は、第１２の変形例による二重窓１として、プリズム型の偏向層７４を示す縦断面図である。図１８に示すように、第１２の変形例の偏向層７４は、プリズムの態様である。具体的には、図１８に示すように、偏向層７４は、プリズム面７４００を有し、プリズム面７４００での反射や屈折によって可視光Ｌ３を偏向して屋内３に採り込む。
【０１２２】
より具体的には、第１２の変形例の偏向層７４は、シート状の本体部７４０１と、本体部７４０１上に配列された複数の単位プリズム７４０２とを有している。本体部７４０１と単位プリズム７４０２とは、透光性材料で形成されている。また、図１８の例において、単位プリズム７４０２は、鉛直方向ｄ３に配列され、間口方向ｄ２に延びている。また、各単位プリズム７４０２は、本体部７４０１の一方の面上に隙間無く配列されている。
【０１２３】
単位プリズム７４０２は、鉛直方向ｄ３に対向して配置された第１面７４０２ａと第２面７４０２ｂとを有する。偏向層７４は、第１面７４０２ａおよび第２面７４０２ｂの一方から単位プリズム７４０２に入射した可視光Ｌ３を、第１面７４０２ａおよび第２面７４０２ｂの他方で反射、とりわけ全反射する。これにより、偏向層７４は、可視光Ｌ３を偏向させて屋内３側に出射できる。
【０１２４】
第１２の変形例においても、既述の実施形態および変形例の二重窓１と同様に、偏向層７４によって直達光を回避しつつ採り込んだ光の照明効果を向上できる。また、第１２の変形例によれば、偏向層７４をプリズムで構成することで、偏向層７４の部品点数を削減できる。
【０１２５】
（第１３の変形例）
図１９は、第１３の変形例による二重窓１として、クレーズ型の偏向層７４を示す縦断面図である。図１９に示すように、第１３の変形例の偏向層７４は、クレーズの態様である。クレーズ（クレイズとも表記されることがある）とは、樹脂フィルムに形成された略直線状のひび、あるいは割れ目のことである。とりわけ、第１３の変形例におけるクレーズは、樹脂フィルムに形成されるひびあるいは割れ目の壁面間に樹脂フィブリル（すなわち、繊維状の樹脂）が残存しているものをいい、樹脂フィブリルが残存していないクラックとは異なる。
【０１２６】
図１９に示すように、第１３の変形例の偏向層７４は、樹脂フィルムからなる本体部７４１０と、本体部７４１０の屋外２側の表面７４１０ａに形成された複数のクレーズ７４１１とを有する。
【０１２７】
クレーズ７４１１は、例えば、刃物やブレードなどの先端が鋭利な直線状の板で、直線に沿った微小な曲げ変形を樹脂フィルムに付与することで得ることができる。
【０１２８】
このような第１３の変形例の二重窓１において、偏向層７４のクレーズ７４１１に入射した可視光Ｌ３は、クレーズ７４１１内を進行したうえで、樹脂フィブリル７４１１ａ（すなわち、高屈折率層）の間の空隙７４１１ｂ（すなわち、低屈折率層）に入射する。なお、図１９では、１つの空隙７４１１ｂのみを代表的に図示している。空隙７４１１ｂへの可視光Ｌ３の入射角が臨界角より大きい場合、可視光Ｌ３は、空隙７４１１ｂで全反射されて屋内３側に進行する。可視光Ｌ３は、ランダムに配置された複数の空隙７４１１ｂで全反射するため、可視光Ｌ３は様々な角度で出射する。したがって、偏向層７４が光拡散機能を有し、ぎらつきを抑制することが期待できる。
【０１２９】
第１３の変形例においても、既述の実施形態および変形例の二重窓１と同様に、偏向層７４によって直達光を減らしつつ採り込んだ光の照明効果を向上できる。また、第１３の変形例によれば、偏向層７４をクレーズで構成することで、偏向層７４の部品点数を削減できる。
【０１３０】
（第１４の変形例）
図２０は、第１４の変形例による二重窓１として、ミラールーバ型の偏向層７４を示す縦断面図である。第１２の変形例の偏向層７４は、鉛直方向ｄ３に間隔を空けて配列された複数のブレード７４１５を有する。各ブレード７４１５は、その上面７４１５ａで可視光Ｌ３を鏡面反射することで、可視光Ｌ３を屋内３側に偏向させる。図２０に示された偏向層７４は、切り込み７４１６を形成された透明基材を用意し、次に、透明基材の切り込み７４１６に、アルミニウム等の高反射率材料を充填することで、作製され得る。この方法で得られた偏向層７４において、ブレード７４１５の上面７４１５ａは、アルミニウム等の高反射率材料で形成される。また、別の例として、ブレード７４１５が、空隙と形成されていてもよい。この例では、透明基材と空隙からなるブレード７４１５との屈折率差に起因した全反射を引き起こすことができ、全反射による反射損失を生じさせない偏向機能を期待することができる。
【０１３１】
第１４の変形例においても、既述の実施形態および変形例の二重窓１と同様に、偏向層７４によって直達光を回避しつつ採り込んだ光の照明効果を向上できる。
【０１３２】
（第１５の変形例）
図２１は、第１５の変形例による二重窓１として、偏向層７４の屋内３側に角度依存性光制御シート７４２０を配置した例を示す縦断面図である。図２１に示すように、第１５の変形例においては、外窓５に偏向層７４が積層され、かつ、内窓６に角度依存性光制御シート７４２０が積層されている。角度依存性光制御シート７４２０は、所定の角度範囲からの入射光のみを選択的に散乱し、それ以外の入射光を透過させるものである。
【０１３３】
角度依存性光制御シート７４２０は、例えば、少なくとも２種類の光重合性のオリゴマーまたはモノマーを含有する樹脂組成物を膜状に維持し、その膜状体に所定の方向から紫外線を照射して硬化することで形成してもよい。
【０１３４】
第１５の変形例の角度依存性光制御シート７４２０は、所定角度以上の角度で斜め上方から入射した可視光Ｌ３を散乱する光学特性を有する。また、角度依存性光制御シート７４２０は、所定角度未満の角度で斜め上方から入射した可視光、水平方向から入射した可視光および斜め下方から入射した可視光を透過する光学特性を有する。
【０１３５】
偏向層７４に入射する可視光Ｌ３のうち、急斜面７４２ｂまたは緩斜面７４２ｃ（図３Ａ参照）に入射しない可視光Ｌ３は、屋内３側に向かって斜め下方に進行し得る。斜め下方に進行する可視光Ｌ３は、グレアとなって眩しさを感じさせる可能性がある。
【０１３６】
しかるに、第１５の変形例では、斜め下方に進行した可視光Ｌ３を角度依存性光制御シート７４２０で散乱させることができる。これにより、斜め下方に進行する可視光Ｌ３に起因するグレアを抑制できる。
【０１３７】
第１５の変形例においても、既述の実施形態および変形例の二重窓１と同様に、偏向層７４によって直達光を回避しつつ採り込んだ光の照明効果を向上できる。また、偏向層７４で適切に偏向できなかった可視光Ｌ３を角度依存性光制御シート７４２０で散乱させることで、グレアを抑制できる。
【０１３８】
（第１６の変形例）
図２２は、第１６の変形例による二重窓１として、偏向層７４を補強した例を示す縦断面図である。図２２に示すように、第１６の変形例では、光制御シート７０すなわち偏向層７４の外周端を被覆材１５１で被覆した状態で、光制御シート７０および窓５、６の外周縁を窓枠８１、８２で保持している。被覆材１５１は、例えば、シリコーン系樹脂、アクリル系樹脂、ウレタン系樹脂、ポリサルファイド系樹脂、及びこれらの混合物などにより形成される。被覆材１５１は、基板と偏向層７４の境界を覆う配置のみならず、偏向層７４に乗り上げるように被覆材１５１が配置されていてもよい。
【０１３９】
図２２では、偏向層７４の端部が窓枠８１、８２内に収容されている態様を示している。しかしながら本変形例はこれに限定されない。既成の外窓５、内窓６に偏向層７４を後から取付ける場合、偏向層７４の端部が窓枠８１、８２内に収容されないことがある。この場合、基板と偏向層７４の境界を覆うように被覆材１５１を偏向層７４の周縁に沿って配置することで、基板と偏向層７４の境界を覆うことができる。
【０１４０】
第１６の変形例によれば、被覆材１５１によって偏向層７４への水分、異物などの浸入を抑制できるので、偏向層７４の劣化や偏向層７４の剥がれを抑制できる。
【０１４１】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【０１４２】
１  二重窓、２  屋外、３  屋内、４  開口部、５  外窓、６  内窓、７４  偏向層
【図１】
2018184831.tif 000003
【図２】
2018184831.tif 000004
【図３】
2018184831.tif 000005
【図４】
2018184831.tif 000006
【図５】
2018184831.tif 000007
【図６】
2018184831.tif 000008
【図７】
2018184831.tif 000009
【図８】
2018184831.tif 000010
【図９】
2018184831.tif 000011
【図１０】
2018184831.tif 000012
【図１１】
2018184831.tif 000013
【図１２】
2018184831.tif 000014
【図１３】
2018184831.tif 000015
【図１４】
2018184831.tif 000016
【図１５】
2018184831.tif 000017
【図１６】
2018184831.tif 000018
【図１７】
2018184831.tif 000019
【図１８】
2018184831.tif 000020
【図１９】
2018184831.tif 000021
【図２０】
2018184831.tif 000022
【図２１】
2018184831.tif 000023
【図２２】
2018184831.tif 000024